(57)【要約】      （修正有）【課題】鼻緒の先緒の取り付けが容易で、誰でも上記間隔を一定して取り付けることができ、また、その鼻緒を取り付けた履物を継続して使用しても、先緒が伸びて緩むことのない鼻緒を提供する。【解決手段】芯材および紐を包み、且つ、両端から前記紐の端部を突出させた柔軟な棒状の部材を、中間で２つに折り曲げて本体２２とし、折り曲げ部分２５を、先緒２７の中間で２つに折り曲げた部分２７、２８で挟んで重ね、その重ね部分の先端を折り曲げ部分２５の下方向に向け、その重ねた部分で、折り曲げ部分２５に近接した位置と、それより先端方向に間隔をおいた中間の位置で、糸２９、３１で係止して鼻緒２０を形成する。先緒２６の先端部を履物の台の先端部に設けた穴に挿通し、前記台の裏面側において、前記先緒の２つの糸止位置の間に抜け止め棒を挿入し、先緒２６の先端部を前記台の裏面に係止して使用する。【選択図】図１
0003125830.tif 000002
【実用新案登録請求の範囲】
【請求項１】
布または合成樹脂シートで芯材および紐を包み、且つ、両端から前記紐の端部を突出させた柔軟な棒状の部材を、中間で２つに折り曲げて本体とし、前記折り曲げ部分を、布または合成樹脂シートで芯材を包んだ柔軟な棒状の部材の、中間で２つに折り曲げた部分で挟んで重ね、その重ね部分の先端を前記本体の折り曲げ部分の下方向に向け、その重ねた部分で、本体の折り曲げ部分に近接した位置と、それより先端方向に間隔をおいた中間の位置で、係止手段で係止して先緒としてなる鼻緒であって、前記先緒の先端部を履物の台の先端部に設けた穴に、前記台の上面から裏面方向に挿通し、前記台の裏面側において、前記先緒の前記２つの係止位置の間で、前記重ねた部分の間に抜け止め棒を挿入し、前記本体の折り曲げ部分を持ち上げて、前記抜け止め棒の両端を前記台の裏面に当接させ、前記先緒の重ねてない先端部を前記台の裏面に係止し、前記台の中間部の両側部のそれぞれに設けた穴に、前記台の上面から裏面方向に、前記本体の両端部とそれより突出している紐とを挿通し、前記台の裏面側で前記突出した紐を結んで、前記鼻緒を前記台に取り付けて使用する履物の鼻緒。
【考案の詳細な説明】
【技術分野】
【０００１】
この考案は、下駄、草履、サンダル等の履物に取り付けて使用する鼻緒に関するものである。
【背景技術】
【０００２】
従来の鼻緒１１は、図３に示すように、布または合成樹脂シートで布きれの芯材（図示せず）と紐１を巻き込んだ柔軟な棒状の本体２を２つに折り曲げて部分３、４を形成し、その折り曲げ部分５に、芯材（図示せず）と紐６を巻き込んだ先緒７を、折り曲げ部５を挟んで２つに曲げ、その端を本体２の折り曲げ部分５の下方向に向け、２つの折り曲げた部８、９を重ね、本体２の折り曲げ部分５の付け根で糸１０で縫止している。
【０００３】
この鼻緒１１を履物の底板に取り付けた状態を図４に示す。
草履の上底１２の先端部に穴１３を開け、その穴１３に、先緒７の部分８、９の先端部と、その先端部より突出する紐６を挿通する。この場合に、上底１２の上面と糸１０までの間隔を、親指と第２指との間に先緒７を入れることのできる間隔を保つ。そして、上底１２の裏面側に突出した紐６、６を結んで抜け止めとする。６ａはその結び玉である。
部分３、４の取り付けは、上底中間の両側部の穴に端部を挿入し、端部より突出する紐１、１を結ぶ。
【０００４】
次いで、下底１５を上底１２の裏面に座金１４と結び玉６ａを挟んで当接させ、接着または縫着して、鼻緒１１の取り付けは完了する。
座金１４と結び玉６ａとを挟む部分、および、紐１、１を結ぶ部分において、上底１２の裏面または  ／および下底１５の上面に凹部１６を設けるのが好ましい。
【０００５】
下駄の場合には、下駄の台に上底１２と同様に、先端部と中間の両側部に穴を設け、鼻緒を上底１２に取り付けたのと同じ要領で取り付け、先緒７の結び玉６ａを覆って座金を取り付ける。紐１、１の結んだ部分は、前歯と後ろ歯との間であるので、そのままの状態としておく。
【特許文献１】実願平４−５４１６７号（実開平６−９５０１号）のマイクロフィルム          （明細書０００２第３〜４行、０００５台５〜８行、図２、図４）
【考案の開示】
【考案が解決しようとする課題】
【０００６】
従来の鼻緒１１は、履物の底板１２等台に取り付ける際に、台の上面と本体２の折り曲げ部分５との間隔が、親指と第２指を折り曲げ部分５の下に挿入できて、鼻緒がきつくなく、緩くない、適当な間隔にして、紐６、６を結ぶこと、およびその間隔が左右の履物で一定にすることがなかなか難しく、熟練を要する。
また、履物を着用して歩行すると、先緒の上記間隔が伸びて、鼻緒が緩み履きにくくなる。
【０００７】
この考案は、鼻緒の先緒の取り付けが容易で、熟練を必要とせず、誰でも上記間隔を一定して取り付けることができ、また、その鼻緒を取り付けた履物を継続して使用しても、先緒が伸びて緩むことのない鼻緒を提供することを目的とする。
【課題を解決するための手段】
【０００８】
布または合成樹脂シートで芯材および紐を包み、且つ、両端から前記紐の端部を突出させた柔軟な棒状の部材を、中間で２つに折り曲げて本体とし、前記折り曲げ部分を、布または合成樹脂シートで芯材を包んだ柔軟な棒状の部材の、中間で２つに折り曲げた部分で挟んで重ね、その重ね部分の先端を前記本体の折り曲げ部分の下方向に向け、その重ねた部分で、本体の折り曲げ部分に近接した位置と、それより先端方向に間隔をおいた中間の位置で、係止手段で係止して先緒として鼻緒を形成し、前記先緒の先端部を履物の台の先端部に設けた穴に、前記台の上面から裏面方向に挿通し、前記台の裏面側において、前記先緒の前記２つの係止位置の間で、前記重ねた部分の間に抜け止め棒を挿入し、前記本体の折り曲げ部分を持ち上げて、前記抜け止め棒の両端を前記台の裏面に当接させ、前記先緒の重ねてない先端部を前記台の裏面に係止し、前記台の中間部の両側部のそれぞれに設けた穴に、前記台の上面から裏面方向に、前記本体の両端部とそれより突出している紐とを挿通し、前記台の裏面側で前記突出した紐を結んで、前記鼻緒を前記台に取り付けて使用する。
【考案の効果】
【０００９】
この考案に係る鼻緒は、先緒の先端部およびそれより突出している紐を台の先端部の穴に挿入して、先緒の２つの先端を重ね、台の裏面側で、先緒の糸等による２つの係止の位置間に、抜け止め棒を入れて、鼻緒本体の折り曲げ部分を持ち上げ、先緒の２つの先端を座金その他の係止手段で台の裏面に係止するだけで、台の上面の先緒の長さが一定しており、熟練を必要とせず誰でも容易に取り付けられる。
また、台に取り付けられた鼻緒の先緒は、抜け止め棒の両端部が履物の裏面で当接し、抜け止め棒の位置が先緒の先端側の係止位置で定まり移動しないで、先緒はそれ以上持ち上がらなくなるので、使用を継続しても、先緒が伸びることなく、履物の台の上面と鼻緒本体の折り曲げ部分までの間隔が一定していて、履物が履きにくくなることはない。
【考案を実施するための最良の形態】
【００１０】
この考案に係る鼻緒２０は、本体２２は従来の鼻緒１１の本体２と同じ構成であって、折り曲げ部２５に続く２つの部分２３、２４の先端から紐２１、２１が突出する。
【００１１】
先緒２７は、芯材（図示せず）を布または合成樹脂シートで包んだ長手の部材を部分２３、２４に折り曲げ、その折り曲げ部分２５を挟み、かつ、折り曲げ部分２５の下方向に向けて２つに折り曲げ、折り曲げて出来た部分２７、２８を重ね、折り曲げ部分２５に近接した位置で糸２９で縫止するか、または、ホッチキス等の係止手段で係止し、さらに、糸２９での係止位置と間隔３０を開けて、部分２７、２８の中間で、部分２７、２８を重ねて糸３１で縫止するか、または、ホッチキス等の係止手段で係止しする。これにより鼻緒２０が完成する。
【００１２】
間隔３０は、後述のとおり、鼻緒２０を履物の台（底部）に取り付ける際に、台の上面と本体２２の折り曲げ部分２５との間隔が、親指と第２指を折り曲げ部分５の下に挿入できて、鼻緒がきつくなく、緩くない、適当な間隔とする。
【００１３】
この鼻緒２０を履物の台に次のようにして取り付ける。
すなわち、上底３２の先端部に穴３３を開け、中間部の両側部のそれぞれに穴（図示せず）を開ける。
穴３３に、上底３２の上面から裏面方向に先緒２６の先端部２７、２８と紐２１を挿通し、上底３２の裏面側で、間隔３０の部分で部分２７と２８との間に抜け止め棒３４を挿入し、折り曲げ部分２５を引き上げることにより先緒２６を上方へ引く。それにより、抜け止め棒３４は糸３１の所で持ち上げられて、抜け止め棒３４の両端部が上底３２の裏面で当接し、先緒２６はそれ以上持ち上がらなくなる。
【００１４】
鼻緒２０の本体２２の２つの部分２３、２４の両端部および紐２１、２１は、従来の鼻緒１１の場合と同様に、上底３２の中間部の両側部の穴に挿入し、紐２１、２１を結ぶ。    
【００１５】
先緒２６の部分２７、２８の係止されていない先端部を上底３２の裏面に添わせ、上底の裏面に下底３５を重ね、接着または縫止等で固定して履物とする。
上底３２または／および下底３５の当接面において、抜け止め棒３４および先緒２６の部分２７、２８の先端部が当接している部分に凹部３６を設けるのが好ましい。
【００１６】
下駄の台に鼻緒２０を取り付ける場合には、先緒２６および紐２１、２１の突出部を台の先端部の穴に通通し、台の裏面側で間隔３０の部分の間に抜け止め棒３４を挿入し、折り曲げ部分２５を引き上げることにより先緒２５を上方へ引く。それにより、抜け止め棒３４は糸３１の所で持ち上げられて、抜け止め棒３４の両端部が下駄の裏面に当接し、先緒２６はそれ以上持ち上がらなくなる。
先緒２６の分かれた先端部を台の裏面に添わせ、座金を被せて座がねを台の裏面に固定する。
鼻緒２０の本体２２の２つの部分２３、２４の両端部および紐２１、２１は、従来の鼻緒１１の場合と同様に、台の中間部の両側部の穴に挿入し、紐２１、２１を結ぶ。      これにより下駄が完成する。
【図面の簡単な説明】
【００１７】
【図１】鼻緒の平面図である。
【図２】鼻緒を履物の台に取り付けた状態の要部断面説明図である。
【図３】従来の鼻緒の平面図である。
【図４】従来の鼻緒を履物の台に取り付けた状態の要部断面説明図である。
【符号の説明】
【００１８】
１    紐
２    本体
３、４  部分
５    折り曲げ部分
６    紐
６ａ  結び玉
７    先緒
８、９  部分
１０  糸
１１  鼻緒
１２  上底
１３  穴
１４  座金
１５  下底
１６  凹部
２０  鼻緒
２１  紐
２２  本体
２３、２４  部分
２５  折り曲げ部分
２６  先緒
２７、２８  部分
２９  糸
３０  間隔
３１  糸
３２  上底
３３  穴
３４  抜け止め
３５  下底
３６  凹部
【図１】
0003125830.tif 000003
【図２】
0003125830.tif 000004
【図３】
0003125830.tif 000005
【図４】
0003125830.tif 000006